(57)【特許請求の範囲】
【請求項１】
紫外線を照射する高圧放電管と、
内管と外管からなる円筒状に形成し、前記内管と前記外管の間に流水スペースを設けて、前記高圧放電管を前記内管の中心に配置して前記高圧放電管を覆う保護管と、
を備えた水冷式紫外線照射装置であって、
前記外管の外表面に被膜したＳｉＯ２上にＨｆＯ２およびＹ２Ｏ３の被膜層を多層形成したことを特徴とする水冷式紫外線照射装置。
【発明の詳細な説明】
【技術分野】
【０００１】
本発明は特に、紫外線硬化インキに紫外線を照射して硬化させる水冷式の紫外線照射装置に関する。
【背景技術】
【０００２】
一般に印刷に用いる主なインキは紫外線硬化（ＵＶ）インキと油性インキがある。このうち紫外線硬化インキは、インキ（顔料）、モノマー、プレポリマー、重合開始剤、増感剤等からなり、２００ｎｍから４００ｎｍの波長域である紫外線を照射して重合開始剤を励起させてインキを硬化させている。紫外線硬化インキは油性インキと比べ速乾性があり、有機溶剤を含まないことから印刷分野で多用されている。
【０００３】
また紫外線硬化インキは、硬化速度が早く瞬時に硬化するためフィルムやプラスチックなどに印刷可能であり、また乾燥時間が不要なため、次工程を素早く行え、印刷時間を短縮できるなど種々のメリットがある。
【０００４】
このような紫外線硬化インキを硬化させる場合、紫外線を照射させる放電管として高圧放電管が一般に利用されている。高圧放電管は紫外線を照射させるための消費電力が高く、かつ放電管が７００度〜８５０摂氏度に達し高温となる。放電管が高温化すると、被印刷物が変質するばかりでなく、放電管が熱変形してしまう。
よって従来の紫外線硬化インキの硬化に用いる高圧放電管は、熱の影響を少なくするため、様々な冷却対策が行われてきた。
【０００５】
高圧放電管の回りに送風手段を設け、放電管に送風し冷却させる空冷式の紫外線照射装置がある。
また高圧放電管の回りを石英材質の保護管で覆い、石英材質の保護管に純水を循環させて高圧放電管を冷却する水冷式の紫外線照射装置がある。これによれば保護管の内側中心に装着した放電管からの発熱は、保護管に純水を循環させることにより、保護管内の純水に発熱を吸収させることができる。
【０００６】
また空冷式と水冷式を組み合わせた特許文献１に示すような空水冷式の紫外線照射装置がある。この照射装置は、放電管（紫外線照射ランプ）を覆う水冷ジャケットと、放電管を水冷ジャケットの中心に配置する発光管ベースに開口部を形成している。水冷ジャケットによる水冷と、放電管の両端を支持する一対の発光管ベースの開口部に空気を送風して水冷および空冷による放熱を行っている。
【０００７】
また特許文献２には、水冷式の放電管の水冷ジャケットにフィルターおよび金属酸化物を微量ドープしている。この構成によりある特定の波長域の紫外線のみ透過させて、その他の紫外線を遮断させて、放電管を徐冷している紫外線照射用光源が開示されている。
【特許文献１】特開平６−２６７５１２号公報
【特許文献２】特開平６−２６７５０９号公報
【発明の開示】
【発明が解決しようとする課題】
【０００８】
しかしながら空冷式の紫外線照射装置では、送風手段を取り付けなければならず、例えば印刷機など限られたスペースでは、送風手段を増設することは困難であるという問題があった。
また水冷式の紫外線照射装置では、紫外線が保護管を透過して外部に放射されてしまい、放電管外周を冷却水で間接的に冷却する程度では冷却効果が十分でない。
【０００９】
また特許文献１の空水冷式の紫外線照射装置では、冷却効果が不十分な水冷手段に送風手段を適用したとしても、７００度〜８５０摂氏度に達する放電管を効果的に冷却することは困難であった。
【００１０】
さらに特許文献２の紫外線照射用光源では、水冷ジャケットの内管の内側に金属酸化物を被膜しているため、水冷ジャケットの純水の循環部分に達することがなく、水冷による放熱の効果が得られない。したがって放電管が発熱して変形してしまう問題がある。また円筒状の水冷ジャケットは水漏れを防ぐため内管と外管は一体物で形成している。このようなジャケットにフィルターを挿入することは実現性に乏しく、かつ循環する水の妨げとなり水冷の効果が得られない。
そこで本発明は、上記従来技術の問題点を解決すべく、高圧放電管から生じる発熱を吸収し、効果的に照射できる水冷式紫外線照射装置を提供することを目的としている。
【課題を解決するための手段】
【００１１】
上記目的を達成するため、本発明の水冷式紫外線照射装置は、紫外線を照射する高圧放電管と、内管と外管からなる円筒状に形成し、前記内管と前記外管の間に流水スペースを設けて、前記高圧放電管を前記内管の中心に配置して前記高圧放電管を覆う保護管と、を備えた水冷式紫外線照射装置であって、前記外管の外表面に被膜したＳｉＯ２上にＨｆＯ２およびＹ２Ｏ３の被膜層を多層形成したことを特徴としている。
【発明の効果】
【００１３】
上記構成による本発明によれば、保護管の外表面に形成した金属酸化物の多層被膜より、特定の紫外線のみ透過させることができる。そして、その他の紫外線は外部に放射させることなく、紫外線による発熱は、保護管を循環する冷水に吸収させることができる。
【００１４】
金属酸化物は遷移元素であって前記保護管の外表面に被膜したＳｉＯ２上に多層被膜することにより、３００ｎｍ〜６００ｎｍの波長域の紫外線を吸収し、増幅させることができる。
【００１５】
遷移元素は、ＨｆＯ２およびＹ２Ｏ３を用いることにより、ＨｆＯ２で３００ｎｍから４３０ｎｍの紫外線を吸収して、増幅させることができる。またＹ２Ｏ３で３００ｎｍから６００ｎｍの紫外線を吸収し、増幅させることができる。したがってこの波長以外の紫外線を保護管の外部に放射することなく、水に吸収させることができる。
【発明を実施するための最良の形態】
【００１６】
本発明の水冷式紫外線照射装置の実施形態を添付の図面を参照しながら以下詳細に説明する。
図１は実施形態に関わる水冷式紫外線照射装置の説明図である。同図（１）は側面断面図であり、同図（２）は（１）のＡ矢視図である。図示のように水冷式紫外線照射装置１０は、高圧放電管１２と保護管１４とベース２０を主な構成要素としている。
【００１７】
高圧放電管１２は、長尺の直管状の放電管である。高圧放電管１２は、石英ガラス製であって、両端に一対の電極を取り付けている。高圧放電管１２は、管内に希ガス、水銀、金属ハロゲン化物が封入されている。通常の高圧放電管１２が照射可能な紫外線の波長域は、２００ｎｍ〜１５００ｎｍである。
【００１８】
保護管１４は、前述の高圧放電管１２の管径よりも大径であり、かつ高圧放電管１２よりも長尺の円筒状に形成している。保護管１４は、石英ガラス製の内管１４ａと外管１４ｂからなり、両端を接続して内管１４ａと外管１４ｂの間の流水スペースを塞いだ二重構造に形成している。保護管１４の外管１４ｂには、循環水の供給口１６と排出口１８が接続している。保護管１４の供給口１６から水を供給し、内管１４ａと外管１４ｂの間の流水スペースを排出口１８に向かって流れる。そして、保護管１４内を流れた水は排出口１８から外部に排出される。保護管１４に供給する水は、所定の流速、温度で流すように調整することができる。
【００１９】
保護管１４に供給する水は、水中に含まれる有機物と無機物を除去した処理水を用いている。具体的に水は、まず磁場によって水中の無機物を除去している。ついでＵＶを照射して水中の有機物を分解している。これにより熱を吸収しても、鉱物イオンの溶解度が小さいため、炭酸カルシウムが管壁に付着するのを防止し、かつ、有機物の分解により塩素と有機物の反応を阻害し、保護管の腐食を抑制するなどの効果が得られる。
【００２０】
ベース２０は、保護管１４の両端開口と同サイズの円盤状であって、中心に高圧放電管１２の端部が貫通する開口を形成している。ベース２０は、高圧放電管１２の発熱に耐え得るある程度の耐熱性を備えた材質、一例として石英ガラス等により形成することができる。ベース２０は、高圧放電管１２を保護管１４の内部に挿入したのち、高圧放電管１２の両端を開口に挿入し、ついで、保護管１４の両端開口に挿入する。これにより高圧放電管１２を保護管１４内の中心で支持することができる。
【００２１】
図２は保護管の外表面に被膜する金属酸化物の多層被膜の説明図である。図示のように本発明の保護管１４は、まず始めに外表面に酸化ケイ素（ＳｉＯ２）をスプレー噴霧などにより塗布して乾燥させる。酸化ケイ素はアンカーとしての役割を果たし、後述する金属酸化物の塗布を容易にして被膜を形成し易くすることができる。
【００２２】
次に金属酸化物の遷移元素であるＹ２Ｏ３をスプレー噴霧によって酸化ケイ素被膜上に塗布して乾燥させる。Ｙ２Ｏ３の被膜層は、３００ｎｍから４３０nmの波長域の紫外線を吸収し増幅する。そしてそれ以外の波長域の紫外線を透過させない。
【００２３】
さらにＹ２Ｏ３の被膜層の上に、遷移元素であるＨｆＯ２をスプレー噴霧によって塗布して乾燥させている。ＨｆＯ２の被膜層は、３００ｎｍから６００ｎｍ波長域の紫外線を吸収し増幅させる。そしてそれ以外の波長域の紫外線を透過させない。
このように金属酸化物の多層被膜３０は一層ごとに積層し、異なる遷移元素同士が互いに混合しないように形成している。
【００２４】
上記構成による本発明の水冷式紫外線照射装置の作用について以下説明する。保護管１４の中央に高圧放電管１２を一対のベース２０で固定する。水冷式紫外線照射装置１０の保護管１４の供給口１６に有機物および無機物を除去した処理水を供給する。保護管１４は図１（２）に示すように高圧放電管１２の外周を覆うように形成してあり、供給口１６から管内に導入された水は流水スペースを矢印に示すように長手方向に沿って流れる。高圧放電管１２は、予め設定したランプ出力で紫外線を被写体に照射する。高圧放電管１２から照射された紫外線は、保護管１４を通過して保護管１４の外表面に形成した金属酸化物の多層被膜３０に到達する。そして、Ｙ２Ｏ３の被膜によって３００ｎｍから４３０ｎｍの波長域の紫外線が吸収される。またＨｆＯ２の被膜によって３００ｎｍから６００ｎｍの波長域の紫外線が吸収される。そして各被膜で吸収された紫外線は増幅されて保護管１４を通過して外部の被写体に照射される。他方、多層被膜３０に吸収されない波長域の紫外線、すなわち、３００ｎｍ以下および６００ｎｍ以上の紫外線は、多層被膜３０を透過することなく遮断し屈折させて、光を熱に置換して保護管１４中を流れる水に吸収される。
【００２５】
＜実施例＞
本実施形態に係る水冷式紫外線照射装置の実施例について以下説明する。実施条件は、保護管に供給する水温を１８度とし、水量は６Ｌ／分であり、雰囲気温度は１５度である。また高圧放電管は、ランプ出力を１６０Ｗ／Ｃｍとし、電力を２０ＫＶＡとしている。
まず保護管に金属酸化物の多層被膜を形成した場合の実測値は、紫外線強度（波長３６５ｎｍ）１５０ｍｗ、保護管の管面温度７５度、水温５０度〜５３度であった。
【００２６】
次に保護管の外表面に金属酸化物の多層被膜なしの場合の実測値は、紫外線強度（３６５ｎｍ）１２０ｍｗ、保護管の管面温度１５０度、水温３２度であった。
この結果により、多層被膜を形成した保護管の管面温度は７５度であり、多層被膜を形成していない保護管の管面温度に比べ放電管からの放熱による影響を半分以下に抑えることができる。
【００２７】
また多層被膜を形成した保護管を流れる水の温度は、５０度〜５３度であり、多層被膜を形成していない保護管の水温に比べ高温となっている。これは、多層被膜を形成したことにより、特定の波長域の紫外線が保護管を透過し、それ以外の波長域の紫外線による発熱を水が吸収したことに起因している。多層被膜を形成していない保護管では、高圧放電管から照射した紫外線が保護管を透過してしまい、そのとき水による吸熱の効果がほとんど得られない。
【００２８】
さらに多層被膜を形成した保護管の紫外線強度（３６５ｎｍ）は１５０ｍｗであり、多層被膜を形成していない保護管の紫外線強度と比べ紫外線強度が増加している。これは、多層被膜により３００ｎｍ〜６００ｎｍの波長域の紫外線を一旦吸収したのち、増幅させることにより、紫外線強度が増加したものと考えられる。
【００２９】
図３は本発明の水冷式紫外線照射装置の透過率および反射率の説明図である。図３の横軸は紫外線の波長域（ｎｍ）を示し、左側縦軸は紫外線の透過率（％）を示し、右側縦軸は紫外線の反射率（％）を示している。また実線は水冷式紫外線照射装置による紫外線の透過率を示し、破線は紫外線の反射率をそれぞれ示している。
【００３０】
図示のように本発明の水冷式紫外線照射装置は、保護管の外表面に被膜した遷移元素の多層被膜により、３４０ｎｍ〜５００ｎｍの範囲の紫外線を１００％透過させることができる。他方、３５０ｎｍ〜５００ｎｍの範囲の紫外線の反射率は０．４％以下であり、３５０ｎｍ〜５００ｎｍの波長域の紫外線を極めて効率的に透過させることができる。
【００３１】
このように本実施形態に係る水冷式紫外線照射装置は、保護管の外表面に金属酸化物の被膜を形成し、３００ｎｍ〜６００ｎｍの紫外線を吸収し増幅させている。このため、これ以外の紫外線は保護管内を流れる水に吸収させることができ、放電管から生じる発熱を効果的に抑制することができる。またインキ硬化に不要な光を蓄熱させてその熱を水に置換させて発熱を吸収し、被写体に熱の影響を与えることがない。
【００３２】
本発明の金属酸化物の遷移元素は一例としてＨｆＯ２およびＹ２Ｏ３を用いて説明したが、３００ｎｍ〜６００ｎｍの波長域の紫外線を吸収し増幅させる作用を有する遷移元素であればこれに限定するものではない。
【産業上の利用可能性】
【００３３】
本発明の水冷式紫外線照射装置は、紫外線硬化型のインキ、塗料、接着剤に紫外線を照射して硬化させる分野等において特に有用である。
【図面の簡単な説明】
【００３４】
【図１】本発明の水冷式紫外線照射装置の説明図である。
【図２】保護管の外表面に被膜する金属酸化物の多層被膜の説明図である。
【図３】本発明の水冷式紫外線照射装置の透過率および反射率の説明図である。
【符号の説明】
【００３５】
１０………水冷式紫外線照射装置、１２………高圧放電管、１４………保護管、１６………供給口、１８………排出口、２０………ベース、３０………金属酸化物の多層被膜。
【図１】
0005126965.tif 000002
【図２】
0005126965.tif 000003
【図３】
0005126965.tif 000004